(57)【要約】      （修正有）【課題】異なる仕様のハードディスクをホットプラグ方式でデータ転送、アクセスを達成するハードディスク読取機を提供する。【解決手段】ＰｎＰハードディスク読取機は、本体、制御回路基板及び接続インターフェースユニットを含む。本体は、ハードディスクスロットおよび電源ユニットを有する。制御回路基板は本体内部に設けられ、接続インターフェースユニットが制御回路基板に電気的に接続される。接続インターフェースユニットは、ハードディスクスロットに対応するハードディスク転接インターフェースを有し、ハードディスク転接インターフェースは、第１の接続端及び第２の接続端を有し、ハードディスクを第１、第２の接続端に選択的に接続する。ハードディスクがハードディスクスロット内に差し込まれると、ハードディスク転接インターフェースに直接的に電気的に接続される。電源ユニットは、制御回路基板に電気的に接続され、接続インターフェースユニットの電源スイッチを制御する。【選択図】図３
0003144073.tif 000002
【実用新案登録請求の範囲】
【請求項１】
ハードディスクをホットプラグ方式で電気的に接続し、データ転送及びアクセスを達成できるPnPハードディスク読取機であって、
ハードディスクを収容するための少なくとも一つのハードディスクスロットおよび電源ユニットを有する本体と、
前記本体内部に設けられた制御回路基板と、
前記制御回路基板に電気的に接続され、かつ、前記ハードディスクスロットに対応する少なくとも一つのハードディスク転接インターフェースを有し、前記ハードディスクが前記ハードディスクスロット内に収容されるとともに、前記ハードディスク転接インターフェースに電気的に接続される接続インターフェースユニットとを含み、
前記電源ユニットは、前記本体表面に設けられかつ前記制御回路基板に電気的に接続され、接続インターフェースユニットの電源スイッチを制御し、
前記ハードディスク転接インターフェースは、第１の接続端及び第２の接続端を有し、前記第１の接続端は、シリアル高等接続技術(SATA)インターフェース仕様に符合し、前記第２の接続端は、整合電子型駆動(IDE)インターフェース仕様に符合し、前記ハードディスクは、前記第１、第２の接続端に選択的に電気接続されることを特徴とするPnPハードディスク読取機。
【請求項２】
前記接続インターフェースユニットは、パソコン通信インターフェース、ネットワーク通信インターフェース、及びマルチメディア通信インターフェースを備え、前記パソコン通信インターフェースは、前記ハードディスク転接インターフェースに電気的に接続し、かつ前記パソコン通信インターフェースは、少なくとも一つのUSB、IEEE1394及びEsataの通信インターフェースを有し、前記ネットワーク通信インターフェースは、前記ハードディスク転接インターフェースに電気的に接続され、かつ前記ネットワーク通信インターフェースは、少なくとも一つのネットワーク接続ポートを有し、前記マルチメディア通信インターフェースは、前記ハードディスク転接インターフェースに電気的に接続され、かつ前記マルチメディア通信インターフェースは、少なくとも一つのビデオ再生接続ポート及び少なくとも一つのＡＶ視聴接続ポートを有することを特徴とする請求項１記載のPnPハードディスク読取機。
【請求項３】
前記本体は、補助ストレージユニット、運行表示ユニット及びビデオ再生制御ユニットを設けており、前記補助ストレージユニットは、前記接続インターフェースユニットに電気的に接続され、前記ハードディスクと前記接続インターフェースユニットとの間のデータアクセスを補助的に操作し、且つ前記補助ストレージユニットは、ハードディスクバックアップ手段を有し、前記ハードディスクのデータをコピーするとともにパソコンにストレージし、前記運行表示ユニットは、前記制御回路基板に電気的に接続され、前記ハードディスクと前記接続インターフェースユニットとの運行状態を表示し、前記ビデオ再生制御ユニットは、前記接続インターフェースユニットに電気的に接続され、前記ハードディスクと前記接続インターフェースユニットとの間の転送を操作することを特徴とする請求項１記載のPnPハードディスク読取機。
【請求項４】
前記本体は、少なくとも一つのハードディスク退出手段およびハードディスク固定構造を有し、前記ハードディスク退出手段は、前記ハードディスクと前記接続インターフェースユニットとの間に形成された電気接続を分離し、前記ハードディスク固定構造は、ハードディスクを前記ハードディスクスロット内に固定させることを特徴とする請求項１記載のPnPハードディスク読取機。
【請求項５】
前記本体は、複数のハードディスクスロットを有し、前記接続インターフェースユニットは、複数のハードディスク転接インターフェースを有し、ハードディスク転接インターフェース毎は、ハードディスクスロット毎に対応し、かつ、前記本体は、複数のハードディスク退出手段を有し、これらのハードディスクと前記接続インターフェースユニットとの間に形成された電気接続を分離し、前記本体の表面に前記接続インターフェースユニットに電気的に接続する補助ストレージユニットが設けられ、前記ハードディスクと前記接続インターフェースユニットとの間のデータアクセスを補助的に操作し、且つ前記補助ストレージユニットは、ハードディスクバックアップ手段及びハードディスクコピー手段を有し、前記ハードディスクバックアップ手段は、前記ハードディスクのデータをコピーし、前記ハードディスクコピー手段は、何れか二つのハードディスクのデータを互いにコピーすることを特徴とする請求項１記載のPnPハードディスク読取機。
【考案の詳細な説明】
【技術分野】
【０００１】
本考案は、プラグアンドプレイ(Plug and Play,PnP)ハードディスク読取機に関わり、特に、異なる仕様のハードディスク転接インターフェースを同一の装置に設け、ハードディスクをホットプラグ方式で電気的に接続し、外部装置とデータアクセス及び転送を行うPnPハードディスク読取機に関するものである。
【背景技術】
【０００２】
一般のハードディスクインターフェースは、整合電子型駆動インターフェース(Integrated Device Electronics, IDE)仕様を採用している。パソコンがハードディスクインターフェース装置のディスクドライブと接続した後に、ディスクドライブにデータをストレージ及び読取する。ディスクドライバは、現在に普遍使用されているデータストレージ装置である。科技の快速な発展に伴い、データ転送が快速、接続方式が便利、及び継手が小型化のシリアル高等接続技術(Serial Advanced Technology Attachment, SATA)インターフェースのディスクドライブまでに発展されている。そのため、従来の単一種類のインターフェース仕様のディスクドライブは、異なるタイプのディスクドライバに同時に応用できなくなる。
【０００３】
図１〜図２は、従来のハードディスクインターフェース装置を示す図である。図に示すように、該ハードディスクインターフェース装置１ａは、主に、制御回路２ａ、第１のハードディスクコネクタ３ａ、第２のハードディスクコネクタ４ａ、及び着脱型アダプタ５ａを含む。そのうち、該制御回路２ａは、USB 信号転送線２１ａを介してパソコンホスト６ａに接続するUSBインターフェース２０ａを備えている。該第１、第２のハードディスクコネクタ３ａ、４ａは、該制御回路２ａに接続され、第１のハードディスクコネクタ３ａは、シリアル高等接続技術(SATA)インターフェース仕様であり、シリアル高等接続技術(SATA)ハードディスク７ａに電気的に接続され、第２のハードディスクコネクタ４ａは、整合電子型駆動(IDE)インターフェース仕様であり、整合電子型駆動(IDE)ハードディスク８ａに電気的に接続される。
【０００４】
また、該着脱型アダプタ５ａは、第２のハードディスクコネクタ４ａに接続し、大型ハードディスクまたは光ディスク９ａに与える。該シリアル高等接続技術(SATA)ハードディスク７ａは、シリアル高等接続技術(SATA)インターフェース仕様の信号転送線２２ａを介して第１のハードディスクコネクタ３ａに電気的に接続される。
【０００５】
そのため、ハードディスクインターフェース装置１ａがパソコンホスト６ａに使用され、パソコンホスト６ａは、異なるタイプのハードディスクに電気的に接続できる。第２のハードディスクコネクタ４ａは、２．５インチIDEハードディスクコネクタであり、該着脱型アダプタ５ａを組み立てることにより、３．５インチIDEハードディスクまたは光ディスクコネクタに転接される。
【０００６】
しかしながら、装置は、異なる仕様のハードディスクまたは光ディスクであれば、ハードディスクコネクタに電気的に接続されると、同一仕様の装置を同一仕様のコネクタに対応し、そのため、装置が異なる仕様のコネクタ内に誤って差し込まれることが避けられず、ひいて、不良な電気接続になってしまい、かつ、使用者が使用上の不便になる。また、比較的に大型のハードディスク（例えば、３．５インチ）または光ディスクは、別に着脱型アダプタ５ａを利用すれば、インターフェース転接できるが、使用上に複雑で、着脱型アダプタを失った場合、大型のハードディスクまたは光ディスクは、接続使用できなくなる。
【０００７】
また、ハードディスクまたは光ディスクは、ハードディスクインターフェース装置に接続される時に、装置が運行状態であるか否かを確実に知らず、使用者が誤って抜いて行くと、アクセスや転送データが失ってしまいまたは損壊される問題がある。
【０００８】
そのため、本考案者は、前記技術の適用可能実施性に鑑みて、長年以来この領域で積み立てた経験により、専念な観察かつ研究をし、さらに学術理論の運用に合せ、合理な設計の本考案を提案した。  
【考案の開示】
【考案が解決しようとする課題】
【０００９】
本考案の主な目的は、制御回路基板を本体内に設置し、該本体は、少なくとも一つまたは複数のハードディスクスロットを設け、ハードディスクを本体内部に収納し、かつ制御回路基板の接続インターフェースユニットにホットプラグ方式で電気的に接続するPnPハードディスク読取機を提供することにある。異なる仕様のハードディスクがハードディスクスロット内に収納されると、接続インターフェースユニットのハードディスク転接インターフェースに電気的に接続される。前記構造設計により、異なる仕様のハードディスクが、ともに，ホットプラグ方式で該ハードディスク読取機内に電気的に接続され、該ハードディスク読取機は、該ハードディスクがストレージしたデータを転送及びアクセスするとともに、ハードディスクが外接電気装置との複雑な取付動作を避けられる。
【００１０】
本考案の次の目的は、ハードディスク転接インターフェースとパソコン通信インターフェースとの接続により、異なる仕様のハードディスクがパソコン／ノートパソコンとは、データをアクセス、転送でき、ハードディスク転接インターフェースとインターネット通信インターフェースとの接続を介して、インターネットによりインターネットディスクドライブ(NSA/NDSA)の特性に達成し、遠距離ユーザがハードディスクにデータをアクセス、転送でき、ハードディスク転接インターフェースとマルチメディア通信インターフェースとの接続を介して、ビデオプレヤとして、ユーザがハードディスク内のマルチメディアビデオデータを再生できることにある。
【課題を解決するための手段】
【００１１】
前記目的を達成するため、本考案は、本体、制御回路基板及び接続インターフェースユニットを含むPnPハードディスク読取機を提供する。そのうち、本体は、少なくとも一つのハードディスクスロットおよび電源ユニットを有し、ハードディスクスロットはハードディスクを収容し、制御回路基板は本体内部に設けられ、接続インターフェースユニットが制御回路基板に電気的に接続され、かつ、接続インターフェースユニットは、ハードディスクスロットに対応する少なくとも一つのハードディスク転接インターフェースを有し、ハードディスクが該ハードディスクスロット内に収容されると、該ハードディスク転接インターフェースに電気的に接続される。電源ユニットは、本体表面に設けられかつ制御回路基板に電気的に接続され、接続インターフェースユニットの電源スイッチを制御する。そのうち、該ハードディスク転接インターフェースは、第１の接続端及び第２の接続端を有し、該第１の接続端は、シリアル高等接続技術(SATA)インターフェース仕様に符合し、該第２の接続端は、整合電子型駆動(IDE)インターフェース仕様に符合し、該ハードディスクは、該第１、第２の接続端に選択的に電気的に接続される。
【００１２】
本考案が予定目的を達成するため採用した技術手段及び効果を、以下に本考案に関わる詳しい説明及び添付図面を参照することにより、深く且つ具体的な了解を得られるが、それらの添付図面が参考及び説明のみに使われ、本考案の主張範囲を狭義的に局限するものではないことは言うまでもないことである。
【考案を実施するための最良の形態】
【００１３】
本考案の特徴及び技術内容を了解するため、以下に本考案に関わる詳しい説明及び添付図面を参照する。
【００１４】
図３〜図９に示すように、本考案のPnPハードディスク読取機の第一態様の関連図である。本考案は、ハードディスク４０Ａ（またはハードディスク４０Ａ’；以下、ハードディスク４０Ａを主として）にホットプラグ方式で電気的に接続するためのハードディスク読取機１である。本実施例では、該ハードディスク読取機１は、携帯型の読取機１であり、ユーザが携帯便利及びアクセスし易くようにし、図８及び図９に示すように、該ハードディスク読取機１は、本体２、制御回路基板３及び接続インターフェースユニット４を含む。該制御回路基板３は、該本体２の内部に設けられ、該接続インターフェースユニット４は、制御回路基板３に接続され、データのアクセス、転送の通信インターフェースとする。
【００１５】
該本体２は、ハードディスクスロット２０およびハードディスク退出ボタン２１を有する。該ハードディスクスロット２０により、ハードディスク４０Ａを本体２内部に収容する。該ハードディスク取出ボタン２１は、ハードディスク退出手段であり、該ハードディスク４０Ａと該接続インターフェースユニット４との間に形成された電気接続を分離し、該ハードディスク４０Ａと該接続インターフェースユニット４との接続を中止、退出させる。また、本体２は、電源ユニット５、補助ストレージユニット６、運行表示ユニット７及びビデオ再生制御ユニット８（図８に示すように）を設けており、ハードディスクデータの転送、アクセス、再生の関連操作および電力供給とする。
【００１６】
該電源ユニット５は、本体２の先端に設けられ、制御回路基板３に電気的に接続され、該接続インターフェースユニット４の電源スイッチを制御し、ハードディスク４０Ａと接続インターフェースユニット４との間の電源を開閉する。
【００１７】
該補助ストレージユニット６は、該制御回路基板３に設けられ、該接続インターフェースユニット４に電気的に接続され、該ハードディスク４０Ａと接続インターフェースユニット４との間のデータ転送、アクセスを補助的に操作する。該補助ストレージユニット６は、ハードディスクバックアップ手段６１及びハードディスクコピー手段６２（図８に示すように）を備える。該ハードディスクバックアップ手段６１は、ハードディスク４０Ａのデータをコピーし、かつ、パソコン／ノートパソコン４１Ａに選択的にストレージする（図９に示すように）。該ハードディスクコピー手段６２は、何れか二つのハードディスク４０Ａがストレージしたデータをコピーし、該ハードディスクコピー手段６２の操作は、少なくとも二つのハードディスク４０Ａに合せなければ、コピー機能を達成できない。
【００１８】
該運行表示ユニット７は、本体２の先端に設けられ、該制御回路基板３に電気的に接続され、ハードディスク４０Ａと接続インターフェースユニット４との運行状態を表示し、ユーザが、ハードディスク４０Ａがオンまたは運行状態であるか否かを了解させる。
【００１９】
該ビデオ再生制御ユニット８は、本体２の頂端に設けられ、かつ該接続インターフェースユニット４に電気的に接続され、ユーザが該ビデオ再生制御ユニット８を手動で操作し、該ハードディスク４０Ａと該接続インターフェースユニット４との間のデータ転送及び運行を制御し、ハードディスク４０Ａ内のデータが接続インターフェースユニット４に転送できることによって、ハードディスク４０Ａのビデオデータの再生、運行を制御する。ユーザは、リモコン８Ａを介して該ビデオ再生制御ユニット８（図９に示すように）をリモコンするにより、同一の効果を達成する。
【００２０】
図８及び図９に示すように、該接続インターフェースユニット４は、ハードディスク４０Ａにデータをストレージし、インターフェース転接及びデータ転送、アクセスの運行を行う。本実施例では、該接続インターフェースユニット４は、ハードディスク転接インターフェース４０、パソコン通信インターフェース４１、ネットワーク通信インターフェース４２、及びマルチメディア通信インターフェース４３を備えている。
【００２１】
該ハードディスク転接インターフェース４０は、該本体２のハードディスクスロット２０に対応し、異なるハードディスク４０Ａの仕様インターフェース（例えば、２．５インチまたは３．５インチのハードディスク仕様）の差込及びデータ転送を与える。そのうち、該ハードディスク転接インターフェース４０は、第１の接続端４００及び第２の接続端４０２を有し、該第１の接続端４００は、シリアル高等接続技術(SATA)インターフェース仕様に符合し、該第２の接続端４０２は、整合電子型駆動(IDE)インターフェース仕様に符合する。よって、該ハードディスク４０Ａは、該第１の接続端４００または第２の接続端４０２に選択的に電気的に接続される。ユーザは、異なる仕様（例えば、IDEまたはSATA）のハードディスク４０Ａ（またはハードディスク４０Ａ’）を該ハードディスクスロット２０内に挿入し、該ハードディスク転接インターフェース４０に直接的に電気的に接続し、データ転送や、ハードディスク４０Ａがプラグアンドプレイの簡単な操作を達成でき、他のハードディスクまたはソフトウェアの取付動作を避けることができる。
【００２２】
該パソコン通信インターフェース４１は、該ハードディスク転接インターフェース４０に電気的に接続する。そのうち、該パソコン通信インターフェース４１は、USB４１０、IEEE1394通信ポート４１１及び通信ポート４１２を有し、パソコン／ノートパソコン４１Ａに接続するデータ転送インターフェースとし（図９に示すように）、ユーザは、選択的に何れか一つの転送インターフェース（USB、IEEE1394またはeSATA）を介して、該ハードディスク４０Ａとパソコン／ノートパソコン４１Ａとの間のデータ転送またはアクセスを行う。
【００２３】
該ネットワーク通信インターフェース４２は、ハードディスク転接インターフェース４０に電気的に接続する。該ネットワーク通信インターフェース４２は、ネットワーク接続ポート４２０を有し、該ハードディスク転接インターフェース４０をインターネットに接続し、該ハードディスク４０Ａがネットワークデータアクセス、転送効果を間接的に得られ、すなわち、ネットワークディスクドライブ（NAS/NDAS）の運行手段を達成できる。図９に示すように、該ネットワーク接続ポート４２０は、ルータ４２Ａを介して、内部イントラネット４２Ｂ及び外部ネットワーク４２Ｃに夫々接続され、該ネットワークディスクドライブを形成し、遠距離ユーザ（内部または外部ネットワークの何れかに関わらず）がともにインターネットを介してハードディスク４０Ａにデータを転送、アクセスする。
【００２４】
該マルチメディア通信インターフェース４３は、該ハードディスク転接インターフェース４０に電気的に接続される。該マルチメディア通信インターフェース４３は、ビデオ再生接続ポート４３０及びＡＶ視聴接続ポート４３１を備え、視聴設備４３Ａに接続され（図９に示すように）、ユーザが該ハードディスク４０Ａにストレージされたマルチメディアビデオデータマルチメディアに対しビデオを再生し、データ転送を行う。
【００２５】
さらに、該本体２の内部にハードディスク固定機構が設けられ（図示せず）、ハードディスク４０Ａを該ハードディスクスロット２０内に固定させ、ハードディスク４０Ａがハードディスク転接インターフェース４０とデータ転送、アクセスする時に、安定の電気接続に達成することによって、データ安全保護手段を形成し、ハードディスクが読取、運行する時に、予期できない振動或いは必要のない衝突を受け、不良の電気的接続及び転送データの損壊になることを避けることができる。
【００２６】
図１０〜図１１に示すように、本考案のPnPハードディスク読取機の第二態様を示す斜視図及びそのブロック図である。前記第一の実施例との違いは、本実施例では、該ハードディスク読取機１の本体２は、二つのハードディスクスロット２０、２０’および二つのハードディスク退出ボタン２１、２１’を有する。それに対して、該接続インターフェースユニット４も、二つのハードディスク転接インターフェース４０、４０’を有し、ハードディスク転接インターフェース４０、４０’毎は、ハードディスクスロット毎２０、２０’に対応しており、二つのハードディスク４０Ａ、４０Ａ’（図９のように）を該二つのハードディスクスロット毎２０、２０’内に差し込んで、該二つのハードディスク転接インターフェース４０、４０’に電気的に接続し、データ転送を達成し、該二つのハードディスク退出ボタン２１、２１’は、ともに退出手段であり、ハードディスク４０Ａ、４０Ａ’と接続インターフェースユニット４のハードディスク転接インターフェース４０、４０’の電気接続を分離し、また、該補助ストレージユニット６のハードディスクコピー手段６２は、何れか二つのハードディスク４０Ａ、４０Ａ’がストレージしたデータを互いにコピーできる。他の関連部材及び運行について、以上の実施例と同じであるため、ここで繰り返し説明しない。
【００２７】
図１２に示すように、本考案のPnPハードディスク読取機の第三態様であり、かつハードディスクに配合する斜視図である。前記第二の実施例との違いは、本実施例のハードディスク読取機１は、インサート型ハードディスク読取機１であり、該本体２は、パソコンパネルＰに着脱可能に取り付けられ、ハードディスクを介してハードディスクスロット２０’内に直接的に差し込まれ、ハードディスク読取機１の転接によりハードディスク４０Ａ’を外部電子装置（例えば、パソコン、マルチメディアビデオ設備または遠距離電子装置）に電気的に接続させ、前記と同じようなデータ通信、転送の効果を達する。
【００２８】
以上のように、本考案は、以下の利点を有する。
（１）１または複数の２．５インチまたは３．５インチのハードディスクを提供し、ホットプラグ方式でハードディスク転接インターフェースに直接的に接続し、プラグアンドプレイに達し、かつ、ハードディスクと外接電気装置の複雑な取付動作を避けられる。
（２）ハードディスク転接インターフェースとパソコン通信インターフェースとの接続により、異なる仕様のハードディスクがパソコン／ノートパソコンとは、データをアクセス、転送できる効果を達する。
（３）ハードディスク転接インターフェースとインターネット通信インターフェースとの接続を介して、インターネットによりインターネットディスクドライブ(NSA/NDSA)の特性に達成し、遠距離ユーザがハードディスクにデータをアクセス、転送できる効果を達する。
（４）ハードディスク転接インターフェースとマルチメディア通信インターフェースとの接続を介して、ビデオプレヤとして、ユーザがハードディスク内のマルチメディアビデオデータを再生できる。
（５）補助ストレージユニットと接続インターフェースとの間の電気接続により、ハードディスクのデータをコピーし、パソコン／ノートパソコンに選択的にストレージし、或いは、あらゆるハードディスクにストレージしたデータを互いにコピーする。
（６）本体にハードディスク固定機構が設けられ、ハードディスクがハードディスク転接インターフェースとデータ転送、アクセスする時に、安定の電気接続に達成でき、安全保護手段を形成し、ハードディスクが読取、運行する時に、振動或いは衝突による転送データの損壊を避けることができる。
【００２９】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００３０】
【図１】図１は、従来のハードディスクインターフェース装置を示す斜視図である。
【図２】図２は、従来のハードディスクインターフェース装置を示すブロック図である。
【図３】図３は、本考案のPnPハードディスク読取機の第一態様を示す斜視図である。
【図４】図４は、本考案のPnPハードディスク読取機の第一態様を示す平面図である。
【図５】図５は、本考案のPnPハードディスク読取機の第一態様を示す正面図である。
【図６】図６は、本考案のPnPハードディスク読取機の第一態様を示す背面図である。
【図７】図７は、本考案のPnPハードディスク読取機とハードディスクとの配合を示す斜視図である。
【図８】図８は、本考案のPnPハードディスク読取機の第一態様を示すブロック図である。
【図９】図９は、本考案のPnPハードディスク読取機の第一態様と外部通信設備との接続を示すブロック図である。
【図１０】図１０は、本考案のPnPハードディスク読取機の第二態様を示す斜視図である。
【図１１】図１１は、本考案のPnPハードディスク読取機の第二態様を示すブロック図である。
【図１２】図１２は、本考案のPnPハードディスク読取機の第三態様であり、ハードディスクとの配合を示す斜視図である。
【符号の説明】
【００３１】
１ａ      ハードディスクインターフェース装置
２ａ      制御回路
３ａ      第１のハードディスクコネクタ
４ａ      第２のハードディスクコネクタ
５ａ      着脱型アダプタ
６ａ      パソコンホスト
７ａ      シリアル高等接続技術(SATA)ハードディスク
８ａ      整合電子型駆動(IDE)ハードディスク
９ａ      大型ハードディスクまたは光ディスク
２０ａ    USBインターフェース
２１ａ    USB 信号転送線
２２ａ    信号転送線
１        ハードディスク読取機
２、２’  本体
２０、２０’  ハードディスクスロット
２１、２１’  ハードディスク退出ボタン
３        制御回路基板
４        接続インターフェースユニット
４０Ａ、４０Ａ’  ハードディスク
４０、４０’      ハードディスク転接インターフェース
４００    第１の接続端
４０２    第２の接続端
４１      パソコン通信インターフェース
４１０    USB
４１１    IEEE1394通信ポート
４１２    eSATA通信ポート
４２      ネットワーク通信インターフェース
４２０    ネットワーク接続ポート
４３      マルチメディア通信インターフェース
４３０    ビデオ再生接続ポート
５        電源ユニット
６        補助ストレージユニット
７        運行表示ユニット
８        ビデオ再生制御ユニット
６１      ハードディスクバックアップ手段
６２      ハードディスクコピー手段
８Ａ      リモコン
Ｐ        パソコンパネル
４１Ａ    パソコン／ノートパソコン
４２Ａ    ルータ
４２Ｂ    内部イントラネット
４２Ｃ    外部ネットワーク
４３１    ＡＶ視聴接続ポート
４３Ａ    視聴設備
【図１】
0003144073.tif 000003
【図２】
0003144073.tif 000004
【図３】
0003144073.tif 000005
【図４】
0003144073.tif 000006
【図５】
0003144073.tif 000007
【図６】
0003144073.tif 000008
【図７】
0003144073.tif 000009
【図８】
0003144073.tif 000010
【図９】
0003144073.tif 000011
【図１０】
0003144073.tif 000012
【図１１】
0003144073.tif 000013
【図１２】
0003144073.tif 000014